(57)【特許請求の範囲】
【請求項１】
枠体と、
該枠体に支持されている框体にパネルが保持された障子と、を備えた建具であって、
前記枠体及び前記框体の少なくとも一方に、中空状に形成されたホロー部と、
該ホロー部の内部に配置された断熱材と、
前記ホロー部の内部に配置され、前記断熱材を位置決めする位置決め部材と、を備え、
該位置決め部材は、弾性部材であり、前記断熱材を押圧していることを特徴とする建具。
【請求項２】
前記障子の下部に配置される前記枠体の下枠及び前記障子の下部に配置された前記框体の下框の少なくとも一方には、前記ホロー部が形成されるとともに、前記断熱材が前記位置決め部材よりも上側に配置され、
前記ホロー部の内部には、該ホロー部の下側の壁部と前記断熱材との間に排水空間が形成されている請求項１に記載の建具。
【請求項３】
前記断熱材は、前記位置決め部材よりも室内側に配置されている請求項１または２に記載の建具。
【請求項４】
前記位置決め部材は、前記断熱材の長手方向の複数箇所に離間して配置されている請求項１から３のいずれか一項に記載の建具。
【発明の詳細な説明】
【技術分野】
【０００１】
本発明は、構造物の開口部に設けられる建具に関するものである。
【背景技術】
【０００２】
従来から、構造物の開口部に設けられるサッシ（建具）には、断熱性能を確保するために断熱材が設けられている。例えば、窓枠や障子の框等の枠材の内部にフェノールフォームからなる断熱材が嵌めこまれているものが知られている（下記特許文献１参照）。また、枠材の内部にウレタンからなる断熱材が注入され、この断熱材が枠材に形成された突起に嵌合保持されているものが知られている（下記特許文献２参照）。
【０００３】
また、枠材の内部にフェノールフォーム等の断熱材を配置し、枠材の外側からタッカーやビス等の固定具を貫通させて、固定具により断熱材を枠材の内部に固定することがある。
【先行技術文献】
【特許文献】
【０００４】
【特許文献１】特開２０１５−７８５７４号公報
【特許文献２】特開平９−２９６６５９号公報
【発明の概要】
【発明が解決しようとする課題】
【０００５】
しかしながら、上記の特許文献１に記載された建具では、断熱材は枠材の内部に嵌め込まれているだけであるため、枠材の内部で断熱材ががたついてしまう可能性がある。
また、特許文献２に記載された建具では、枠材にウレタンを保持するための突起を形成する必要があるため、枠材の構成が複雑になるという問題点がある。
また、上記に示すように、フェノールフォーム等の断熱材を枠材の外側から固定具で固定すると、枠材に固定具が貫通する孔が生じてしまうとともに、外観上好ましくないという問題点がある。
【０００６】
そこで、本発明は、上記事情に鑑みてなされたものであり、外部から加工を施すことなく、内部に断熱材を簡易な構成で位置決めすることができる建具を提供する。
【課題を解決するための手段】
【０００７】
上記目的を達成するために、本発明は以下の手段を採用している。
すなわち、本発明に係る建具は、枠体と、該枠体に支持されている框体にパネルが保持された障子と、を備えた建具であって、前記枠体及び前記框体の少なくとも一方に、中空状に形成されたホロー部と、該ホロー部の内部に配置された断熱材と、前記ホロー部の内部に配置され、前記断熱材を位置決めする位置決め部材と、を備え、該位置決め部材は、弾性部材であり、前記断熱材を押圧していることを特徴とする。
【０００８】
このように構成された建具では、枠体及び框体の少なくとも一方において中空状に形成されたホロー部の内部には、断熱材及び断熱材を位置決めする位置決め部材が配置されている。よって、外部から加工を施すことなく、且つホロー部の内部に位置決め部材を配置するだけという簡易な構成で、ホロー部の内部に断熱材を位置決めすることができる。
【０００９】
また、本発明に係る建具は、前記障子の下部に配置される前記枠体の下枠及び前記障子の下部に配置された前記框体の下框の少なくとも一方には、前記ホロー部が形成されるとともに、前記断熱材が前記位置決め部材よりも上側に配置され、前記ホロー部の内部には、該ホロー部の下側の壁部と前記断熱材との間に排水空間が形成されていることが好ましい。
【００１０】
このように構成された建具では、下枠及び下框の少なくとも一方に形成されたホロー部の内部では、断熱材が位置決め部材よりも上側に配置されている。これにより、断熱材と下枠（下框）の下部との間には、空間部が形成される。よって、下枠及び下框の少なくとも一方のホロー部内に浸入した雨水や結露した水は、当該空間部を通過し、適切に排水される。
【００１１】
また、本発明に係る建具では、前記断熱材は、前記位置決め部材よりも室内側に配置されていてもよい。
【００１２】
このように構成された建具では、断熱材が位置決め部材よりも室内側に配置されているため、断熱性能を高めることができる。
【００１３】
また、本発明に係る建具では、前記位置決め部材は、前記断熱材の長手方向の複数箇所に離間して配置されていてもよい。
【００１４】
このように構成された建具では、位置決め部材が断熱材の長手方向に離間して複数箇所に設けられているため、ホロー部内に断熱材を挿入する際に、位置決め部材が滑って所定の位置からずれたとしても、複数箇所の位置決め部材で断熱材を確実に支持することができる。
【発明の効果】
【００１５】
本発明に係る建具によれば、外部から加工を施すことなく、内部に断熱材を簡易な構成で位置決めすることができる。
【図面の簡単な説明】
【００１６】
【図１】本発明の一実施形態に係る建具の縦断面図である。
【図２】本発明の一実施形態に係る建具の横断面図である。
【図３】本発明の一実施形態に係る建具における断熱材及び位置決め部材の配置を示すために、障子の下部を正面から見た図である。
【発明を実施するための形態】
【００１７】
以下、本発明の建具の一実施形態として、横辷り出し窓を例に挙げて説明する。
図１は、本発明の一実施形態に係る横辷り出し窓の縦断面図である。図２は、本発明の一実施形態に係る横辷り出し窓の横断面図である。
図１及び図２に示すように、横辷り出し窓１は、枠（枠体）１０と、枠１０の内部に開閉可能に設置された障子２と、を備えている。
【００１８】
枠１０は、見付け方向Ｍ１に延在する上枠１０Ａ及び下枠１０Ｂと、上枠１０Ａと下枠１０Ｂとの両端部どうしを連結する縦枠１０Ｃ，１０Ｃと、を有している。上枠１０Ａ、下枠１０Ｂ及び縦枠１０Ｃは、樹脂製の中空構造で形成されている。
【００１９】
上枠１０Ａ、下枠１０Ｂ及び縦枠１０Ｃには、それぞれ障子２と対向する面１０Ａ１，１０Ｂ１，１０Ｃ１に、障子２の後述する上框２０Ａ、下框２０Ｂ及び縦框２０Ｃとそれぞれ密着するように枠側気密材１１が設けられている。これにより、気密性が高められるとともに、風雨の室内側Ｘ２への浸入を阻止される。
【００２０】
障子２は、見付け方向Ｍ１に延在する上框２０Ａ及び下框２０Ｂと、上框２０Ａ及び下框２０Ｂとの両端部どうしを連結する縦框２０Ｃ，２０Ｃと、上框２０Ａ、下框２０Ｂ、縦框２０Ｃの内側に配置されるガラス（パネル）２１と、を有している。本実施形態では、ガラス２１は、その内部に五層のガラスが配置された複層ガラスとされている。以下の説明において、上框２０Ａ、下框２０Ｂ及び縦框２０Ｃの総称として、框（框体）２０と称することがある。
【００２１】
上框２０Ａ、下框２０Ｂ及び縦框２０Ｃは、樹脂製の中空構造で形成されている。上框２０Ａ、下框２０Ｂ及び縦框２０Ｃの室内側Ｘ２の端部には、ガラス２１側に向かって延び、ガラス２１の端部が支持するガラス支持部３１が設けられている。また、上框２０Ａ、下框２０Ｂ及び縦框２０Ｃの室外側Ｘ１におけるガラス２１に対向する面には、ガラス２１から離間する方向に向かって凹む凹部３２が形成されている。凹部３２には、ガラス２１の端部が支持する押し縁３３が嵌め込まれている。ガラス２１は、ガラス支持部３１と押し縁３３との間で固定されている。
【００２２】
上框２０Ａ、下框２０Ｂ及び縦框２０Ｃには、それぞれ枠１０と対向する面２０Ａ１，２０Ｂ１，２０Ｃ１に、上枠１０Ａ、下枠１０Ｂ及び下枠１０Ｂとそれぞれ密着するように框側気密材３６が設けられている。これにより、気密性が高められるとともに、風雨の室内側Ｘ２への浸入を阻止される。
【００２３】
また、上框２０Ａの上端部、下框２０Ｂの下端部及び縦框２０Ｃの側部において、それぞれ上枠１０Ａ、下枠１０Ｂ及び縦枠１０Ｃと対向する壁部２０Ａ２，２０Ｂ２，２０Ｃ２には、パッキン１００が設けられている。パッキン１００は、各框側気密材３６よりも室外側Ｘ１に配置されている。
【００２４】
上框２０Ａの壁部２０Ａ２、下框２０Ｂの壁部２０Ｂ２及び縦框２０Ｃの壁部２０Ｃ２には、それぞれ取付穴４０が各框２０の長手方向に沿って形成されている。
【００２５】
この取付穴４０に、各框２０の長手方向に沿って延びるパッキン１００が嵌め込まれている。パッキン１００は、取付穴４０に嵌め込まれた嵌合部１１０と、嵌合部１１０から対向する枠１０側に向かうにしたがって次第に室外側Ｘ１に延びるように形成された羽根部１２０と、を有している。通常の状態では、羽根部１２０の先端部１２０Ａは、対向する枠１０と離間して配置されている。本実施形態では、パッキン１００は、シリコン等の弾性変形可能な材料により構成されている。
【００２６】
次に、上記の枠１０及び框２０にそれぞれ配置された断熱材２００及び断熱材２００を位置決めする位置決め部材２５０について説明する。
【００２７】
上枠１０Ａ、下枠１０Ｂ、縦枠１０Ｃ、上框２０Ａ、下框２０Ｂ及び縦框２０Ｃにおいて、複数の中空状に形成されたホロー部Ｈには、断熱材２００及び位置決め部材２５０が配置されている。なお、ホロー部Ｈ、断熱材２００、位置決め部材２５０の符号は、それぞれ後述するホロー部１０ＡＨ１，２０ＡＨ１等、断熱材２００Ａ１，２００Ａ２等、位置決め部材２５０Ａ１，２５０Ａ２等のそれぞれ総称である。
【００２８】
断熱材２００は、本実施形態では、フェノールフォーム等の断熱性能の高い樹脂材料により構成されている。断熱材２００は、配置される枠１０や框２０の延在方向に沿って長尺状に形成されている。
【００２９】
位置決め部材２５０は、本実施形態では、スポンジやゴム等の弾性部材により構成され、直方体状に形成されている。
【００３０】
図１に示す上枠１０Ａのホロー部１０ＡＨ１，１０ＡＨ２では、見付け方向Ｍ１に延びる断熱材２００Ａ１，２００Ａ２が、ホロー部Ｈの上側の壁部１０Ａ２に沿って配置されている。位置決め部材２５０Ａ１，２５０Ａ２は、ホロー部１０ＡＨ１，１０ＡＨ２の下側の壁部１０Ａ３に沿って、断熱材２００Ａ１，２００Ａ２における横辷り出し窓１の見付け方向Ｍ１の両端部にそれぞれ設けられている。これにより、断熱材２００Ａ１，２００Ａ２は、ホロー部１０ＡＨ１，１０ＡＨ２の上側の壁部１０Ａ２と位置決め部材２５０との間に、弾性部材からなる位置決め部材２５０により押圧されつつ位置決めされている。また、断熱材２００Ａ１，２００Ａ２は、ホロー部１０ＡＨ１，１０ＡＨ２内で室内側Ｘ２に寄せて配置されている。
【００３１】
下枠１０Ｂの室外側Ｘ１のホロー部１０ＢＨ１では、見付け方向Ｍ１に延びる断熱材２００Ｂ１が、ホロー部１０ＢＨ１の上側の壁部１０Ｂ２に沿って配置されている。位置決め部材２５０Ｂ１は、ホロー部１０ＢＨ１の下側の壁部１０Ｂ３に沿って、断熱材２００Ｂ１における横辷り出し窓１の見付け方向Ｍ１及び見込み方向Ｍ２の両端部にそれぞれ設けられている。これにより、断熱材２００Ｂ１は、ホロー部１０ＢＨ１の上側の壁部１０Ｂ２と位置決め部材２５０Ｂ１との間に、弾性部材からなる位置決め部材２５０Ｂ１により押圧されつつ位置決めされている。また、ホロー部１０ＢＨ１の内部には、断熱材２００Ｂ１と下側の壁部１０Ｂ３との間に、横辷り出し窓１の見付け方向Ｍ１に延びる排水空間Ｓ１が形成されている。また、ホロー部１０ＢＨ１の室外側Ｘ１の壁部１０Ｂ４には、図示しない排水孔が形成され、排水孔にはキャップ１０Ｋが嵌め込まれている。これにより、ホロー部１０ＢＨ１内に浸入した雨水や結露した水は、この排水空間Ｓ１を流通し、キャップ１０Ｋを外すと、排水孔から排水される。また、断熱材２００Ｂ１は、ホロー部１０ＢＨ１内で室内側Ｘ２に寄せて配置されている。
【００３２】
下枠１０Ｂの室内側Ｘ２のホロー部１０ＢＨ２では、見付け方向Ｍ１に延びる断熱材２００Ｂ２が、ホロー部１０ＢＨ２の上側の壁部１０Ｂ５に沿って配置されている。位置決め部材２５０Ｂ２は、ホロー部１０ＢＨ２の下側の壁部１０Ｂ３に沿って、断熱材２００Ｂ２における横辷り出し窓１の見付け方向Ｍ１及び見込み方向Ｍ２の両端部にそれぞれ設けられている。これにより、断熱材２００Ｂ２は、ホロー部１０ＢＨ２の上側の壁部１０Ｂ５と位置決め部材２５０Ｂ２との間に、弾性部材からなる位置決め部材２５０Ｂ２により押圧されつつ位置決めされている。また、ホロー部１０ＢＨ２の内部には、断熱材２００Ｂ２と下側の壁部１０Ｂ３との間に、横辷り出し窓１の見付け方向Ｍ１に延びる排水空間Ｓ２が形成されている。また、断熱材２００Ｂ２は、ホロー部１０ＢＨ２内で室内側Ｘ２に寄せて配置されている。
【００３３】
図２に示す縦枠１０Ｃのホロー部１０ＣＨ１では、上下方向に延びる断熱材２００Ｃ１が、ホロー部１０ＣＨ１の室内側Ｘ２の壁部１０Ｃ２に沿って配置されている。位置決め部材２５０Ｃ１は、ホロー部１０ＣＨ１の室外側Ｘ１の壁部１０Ｃ３に沿って、断熱材２００Ｃ１の上下方向の両端部にそれぞれ設けられている。これにより、断熱材２００Ｃ１は、ホロー部１０ＣＨ１の室内側Ｘ２の壁部１０Ｃ２と位置決め部材２５０Ｃ１との間に、弾性部材からなる位置決め部材２５０Ｃ１により押圧されつつ位置決めされている。
【００３４】
図１に示す上框２０Ａのホロー部２０ＡＨ１では、見付け方向Ｍ１に延びる断熱材２００Ａ３が、ホロー部２０ＡＨ１の下側の壁部２０Ａ３に沿って配置されている。位置決め部材２５０Ａ３は、ホロー部２０ＡＨ１の上側の壁部２０Ａ４に沿って、断熱材２００Ａ３における横辷り出し窓１の見付け方向Ｍ１の両端部にそれぞれ設けられている。これにより、断熱材２００Ａ３は、ホロー部２０ＡＨ１の下側の壁部２０Ａ３と位置決め部材２５０Ａ３との間に、弾性部材からなる位置決め部材２５０Ａ３により押圧されつつ位置決めされている。また、断熱材２００Ａ３は、ホロー部２０ＡＨ１内で室内側Ｘ２に寄せて配置されている。
【００３５】
図３は、横辷り出し窓１における断熱材２００及び位置決め部材２５０の配置を示すために、障子２の下部を正面から見た図である。
図１及び図３に示すように、下框２０Ｂのホロー部２０ＢＨ１では、見付け方向Ｍ１に延びる断熱材２００Ｂ３が、ホロー部２０ＢＨ１の上側の壁部２０Ｂ３に沿って配置されている。位置決め部材２５０Ｂ３は、ホロー部２０ＢＨ１の下側の壁部２０Ｂ４に沿って、断熱材２００Ｂ３における横辷り出し窓１の見付け方向Ｍ１の両端部にそれぞれ設けられている。これにより、断熱材２００Ｂ３は、ホロー部２０ＢＨ１の上側の壁部２０Ｂ３と位置決め部材２５０Ｂ３との間に、弾性部材からなる位置決め部材２５０Ｂ３により押圧されつつ位置決めされている。
【００３６】
図２及び図３に示すように、縦框２０Ｃのホロー部２０ＣＨ１では、上下方向に延びる断熱材２００Ｃ２が、ホロー部２０ＣＨ１の室内側Ｘ２の壁部（面）２０Ｃ１に沿って配置されている。位置決め部材２５０Ｃ２は、ホロー部２０ＣＨ１の室外側Ｘ１の壁部２０Ｃ３に沿って、断熱材２００Ｃ２の上下方向の両端部にそれぞれ設けられている。これにより、断熱材２００Ｃ２は、ホロー部２０ＣＨ１の室内側Ｘ２の壁部２０Ｃ１と位置決め部材２５０Ｃ２との間に、弾性部材からなる位置決め部材２５０により押圧されつつ位置決めされている。
【００３７】
また、框２０において、縦框２０Ｃと下框２０Ｂとの接合部分Ｐ及び縦框２０Ｃと上框２０Ａの接合部分（不図示）には、断熱材２００及び位置決め部材２５０は配置されていない。このため、縦框２０Ｃと下框２０Ｂ（上框２０Ａ）とを溶着して障子２を製造することができる。
【００３８】
上記の横辷り出し窓１では、ホロー部Ｈ内において、所定の位置に位置決め部材２５０を配置した後に、ホロー部Ｈの長手方向の一方側から断熱材２００を位置決め部材２５０に沿って挿入するようにして、断熱材２００及び位置決め部材２５０をホロー部Ｈ内に配置する。あるいは、ホロー部Ｈの長手方向の一方側から断熱材２００を挿入して後に、所定の位置に位置決め部材２５０を配置してもよい。
【００３９】
このように構成された横辷り出し窓１では、枠１０及び框２０の中空状に形成されたホロー部Ｈの内部には、断熱材２００及び位置決め部材２５０が配置されている。位置決め部材２５０が断熱材２００をホロー部Ｈの壁部に向かって押圧するため、外部から加工を施すことなく、且つホロー部Ｈの内部に位置決め部材２５０を配置するだけという簡易な構成で、ホロー部Ｈの内部に断熱材２００を位置決めすることができる。
【００４０】
また、下枠１０Ｂのホロー部１０ＢＨ１，１０ＢＨ２では、断熱材２００Ｂ１，２００Ｂ２が位置決め部材２５０Ｂ１，２５０Ｂ２よりも上側に配置されている。これにより、断熱材２００Ｂ１，２００Ｂ２と下枠１０Ｂの壁部１０Ｂ３との間には、排水空間Ｓ１，Ｓ２が形成される。よって、下枠１０Ｂのホロー部１０ＢＨ１，１０ＢＨ２内に浸入した雨水や結露した水は、排水空間Ｓ１，Ｓ２を通過し、排水孔から適切に排水される。
【００４１】
また、ホロー部Ｈにおいて、断熱材２００は位置決め部材２５０よりも室内側Ｘ２に配置されているため、断熱性能を高めることができる。
【００４２】
また、位置決め部材２５０は断熱材２００の長手方向に離間して２箇所に設けられているため、ホロー部Ｈ内に断熱材２００を挿入する際に、位置決め部材２５０が滑って所定の位置からずれたとしても、２箇所の位置決め部材２５０で断熱材２００を確実に支持することができる。
【００４３】
なお、上述した実施の形態において示した各構成部材の諸形状や組み合わせ等は一例であって、本発明の主旨から逸脱しない範囲において設計要求等に基づき種々変更可能である。
【００４４】
例えば、上記に示す実施形態において、断熱材２００及び位置決め部材２５０が枠１０及び框２０の両方に設けられているが、本発明はこれに限られず、枠１０及び框２０の少なくとも一方に設けられていればよい。また、上枠１０Ａ、下枠１０Ｂ及び縦枠１０Ｃのうち所望の部分にのみ設けられていてもよいし、上框２０Ａ、下框２０Ｂ及び縦框２０Ｃのうち所望の部分にのみ設けられていてもよい。
【００４５】
また、上記に示す実施形態において、断熱材２００はホロー部Ｈの室内側Ｘ２に配置されているが、本発明はこれに限られず、室外側Ｘ１に配置されていてもよい。
【００４６】
また、上記に示す実施形態において、位置決め部材２５０は断熱材２００の長手方向に離間して２箇所に設けられているが、本発明はこれに限られず、３箇所以上であってもよいし、１箇所のみであってもよい。１箇所の場合には、断熱材２００の長手方向の中央付近に設けることが好ましい。
【００４７】
また、上記に示す実施形態において、位置決め部材２５０は、直方体状に形成されているが、本発明はこれに限られず、球形や所望の形状であってよい。あるいは、断熱材２００の延在方向に沿って延びるように長尺状に形成されていてもよい。
【００４８】
また、上記に示す実施形態において、横辷り出し窓１を例に挙げてについて説明したが、本発明はこれに限られず、他の窓について適用可能である。
【符号の説明】
【００４９】
１…横辷り出し窓（建具）
２…障子
１０…枠（枠体）
１０Ａ…上枠
１０Ｂ…下枠
１０Ｃ…縦枠
２０…框（框体）
２０Ａ…上框
２０Ｂ…下框
２０Ｃ…縦框
２１…ガラス（パネル）
３３…押し縁
３６…框側気密材
４０…取付穴
１００…パッキン
１１０…嵌合部
１２０…羽根部
２００…断熱材
２５０…位置決め部材
Ｈ…ホロー部
Ｍ１…見付け方向
Ｍ２…見込み方向
Ｓ１，Ｓ２…排水空間
Ｘ１…室外側
Ｘ２…室内側
【図１】
0006538505.tif 000002
【図２】
0006538505.tif 000003
【図３】
0006538505.tif 000004